(57)【特許請求の範囲】
【請求項１】
頂板２外周から周壁３を下外方へ突出すると共に該周壁の後壁部分3a下端面の左右方向中間部から枢着板４を垂設した合成樹脂製の蓋体であって、
該蓋体上外面の左右方向中間部へ周壁前壁部分の下端部から後壁部分下端部まで、天板９嵌着用の第１凹部５を、又頂板２が有する第１凹部部分内に鏡嵌合用の第２凹部６を、更に該第２凹部の外周部分を内向きフランジ6aとして残して第２凹部部分内に窓孔７を、それぞれ穿設し、
又上記内向きフランジ6a上へ外周部を載置させて第２凹部６内へ鏡８を嵌合させると共に、第１凹部に対応させて設けた天板９を第１凹部５内へ嵌合させて、第１凹部の前壁部分下端部と後壁部分下端部とに横設した止め溝11内へ、天板９の前方下端部と後方下端部の各内面に横設した係止突条10，10を嵌合させて、鏡８を上記内向きフランジ6aと天板９とで挟持させ、
更に枢着板４上方の第１凹部部分下端面が形成する上向き段部12にコイン差込み凹部13を付形して、該凹部内へ差込みしたコインを捻ることで天板９の後部下端面が押上げられて後方側係止突条10が止め溝11内から離脱可能に形成した
ことを特徴とするコンパクト容器の鏡付き蓋体。
【請求項２】
上記枢着板４を、コンパクト容器本体21周壁の後壁部分の左右方向中間部を切欠いて設けた後面および上面開口の嵌合凹部23内へ嵌合させて、枢着板４の左右両端面と嵌合凹部23の左右両端面とのうち、いずれか一方から突設した軸31を他方に穿設した軸穴32内へ枢着させ、軸穴周囲の端面部分には、外端間隔を軸直径よりも大とし、かつ内端間隔を軸直径よりも小とした、上記軸を軸穴内へ強制押込みするためのテーパ状通路33を穿設し、
上記軸を中心とする、請求項１記載の鏡付き蓋体１の回動で合成樹脂製容器本体の上端開口面を開閉自在に閉塞した
ことを特徴とするコンパクト容器。
【発明の詳細な説明】
【０００１】
【発明の属する技術分野】
本発明は、コンパクト容器の鏡付き蓋体および該蓋体を有するコンパクト容器に関する。
【０００２】
【従来の技術】
通常化粧用として用いられるコンパクト容器は、合成樹脂製の本体と蓋体とで形成され、それ等本体と蓋体とは金属製の軸で枢着され、又蓋体裏面には表裏両面へ粘着剤を塗布した両面テープを用いる等して鏡が貼布されている。
【０００３】
【発明が解決しようとする課題】
近時廃棄物の増大のため、廃棄物を材質毎に分別し、分別された廃棄物を資材として再利用することが重視されている。
【０００４】
化粧用コンパクト容器は、通常合成樹脂製の本体と蓋体とで形成されているが、それ等は金属製軸で枢着され、又蓋体裏面には鏡が付設されているから、上記廃棄時の分別のためには金属製の軸と鏡とを除去することが必要となる。
【０００５】
本発明は上記軸を合成樹脂とすると共に鏡の除去が容易としたものである。
【０００６】
【課題を解決するための手段】
第１の手段として頂板２外周から周壁３を下外方へ突出すると共に該周壁の後壁部分3a下端面の左右方向中間部から枢着板４を垂設した合成樹脂製の蓋体であって、
該蓋体上外面の左右方向中間部へ周壁前壁部分の下端部から後壁部分下端部まで、天板９嵌着用の第１凹部５を、又頂板２が有する第１凹部部分内に鏡嵌合用の第２凹部６を、更に該第２凹部の外周部分を内向きフランジ6aとして残して第２凹部部分内に窓孔７を、それぞれ穿設し、
又上記内向きフランジ6a上へ外周部を載置させて第２凹部６内へ鏡８を嵌合させると共に、第１凹部に対応させて設けた天板９を第１凹部５内へ嵌合させて、第１凹部の前壁部分下端部と後壁部分下端部とに横設した止め溝11内へ、天板９の前方下端部と後方下端部の各内面に横設した係止突条10，10を嵌合させて、鏡８を上記内向きフランジ6aと天板９とで挟持させ、
更に枢着板４上方の第１凹部部分下端面が形成する上向き段部12にコイン差込み凹部13を付形して、該凹部内へ差込みしたコインを捻ることで天板９の後部下端面が押上げられて後方側係止突条10が止め溝11内から離脱可能に形成した。
【０００７】
第２の手段として上記枢着板４を、コンパクト容器本体21周壁の後壁部分の左右方向中間部を切欠いて設けた後面および上面開口の嵌合凹部23内へ嵌合させて、枢着板４の左右両端面と嵌合凹部23の左右両端面とのうち、いずれか一方から突設した軸31を他方に穿設した軸穴32内へ枢着させ、軸穴周囲の端面部分には、外端間隔を軸直径よりも大とし、かつ内端間隔を軸直径よりも小とした、上記軸を軸穴内へ強制押込みするためのテーパ状通路33を穿設し、
上記軸を中心とする、請求項１記載の鏡付き蓋体１の回動で合成樹脂製容器本体の上端開口面を開閉自在に閉塞した。
【０００８】
【発明の実施の形態】
以下図面について説明すると、１はコンパクト容器の鏡付き蓋体で、該蓋体は、図１が示すように頂板２外周から周壁３を下外方へ弯曲突出させると共に、その周壁後壁部分3aの下端面の左右方向中間部からは、後述容器本体に枢着させるための枢着板４を垂下している。その蓋体上外面の左右方向中間部には、周壁前壁部分3bの下端部から後壁部分3aの下端部まで、後述天板嵌着用の第１凹部５を、又頂板２が有する第１凹部部分内には鏡嵌合用の第２凹部６を、更に該第２凹部の外周部分を内向きフランジ6aとして残して、第２凹部内に窓孔７を穿設している。
【０００９】
８は上記第２凹部６内へ嵌合させた鏡で、その外周部を上記内向きフランジ6a上へ載置させる。
【００１０】
９は、上記第１凹部５に対応させて設けた天板で、第１凹部５内へ嵌合させる。該天板の前方下端部内面と後方下端部の内面とには係止突条10，10が横設してあり、これ等係止突条を、図２が示すように第１凹部の前壁部分の下端部と後壁部分の下端部とにそれぞれ横設した止め溝11内へ嵌合させ、鏡８を上記内向きフランジ6aと天板９とで挟持させる。
【００１１】
図３および図４が示すように、枢着板４上方の第１凹部部分下端面が形成する上向き段部12にコイン差込み凹部13を設ける。該凹部は該凹部内へコイン14を差込み、捻ることで天板９の後部下端面が押上げられて後方側の係止突条10が止め溝11内から離脱し、よって天板９を蓋体から取外し可能に設けている。
【００１２】
既述枢着板４は、コンパクト容器本体21の周壁22後壁部分22a 後部の左右方向中間部を切欠いて設けた、後面および上下両面開口の嵌合凹部23内へ嵌合させるもので、図５と図７とが示すように、枢着板４の左右両端面と嵌合凹部23の左右両端面とのうち、いずれか一方からは軸31を突出させ、他方に穿設した軸穴32内へ枢着させる。尚嵌合凹部23下面は閉塞させてもよい。その枢着のため、軸穴32周囲の端面部分には、外端間隔を軸31の直径よりも大で、かつ内端間隔を軸直径よりも小とした、上記軸を強制的に軸穴内へ押込むためのテーパ状通路33を設ける。図５が示すように枢着板４端面に軸穴32を設ける場合はテーパ状通路を下方に設けるとよく、又図７が示すように嵌合凹部の端面に軸穴32を設ける場合はテーパ状通路33を軸穴上方へ設けるとよく、このようにすることで、蓋体１押下げにより軸32を軸穴32内へ嵌合できるから、その強制嵌合が容易である。
【００１３】
尚容器本体周壁前壁部分22b の左右方向中間部には凹部を設け、その奥壁上部に係合突条41を横設して、該係合突条に蓋体周壁の前壁部から垂下させたフック42を係合させて蓋体を閉塞状態に保持可能とし、かつ上記凹部内へ枢着させた押釦43の回動で蓋体前部が押上げられて上記フックの係合が外れるよう設けている。44は容器本体内へ嵌合させた中皿である。
【００１４】
上記各部材は鏡を除き、すべて合成樹脂材で形成している。但し天板９は例えば金属製等の装飾板としてもよく、この場合は天板９もその材質に応じて分別する。
【００１５】
【発明の効果】
本発明は既述構成とするものであり、鏡８の外周部を蓋体の内向きフランジ6a上へ載置させると共に、第１凹部５内へ天板９を嵌合させ、該天板の前方下端部と後方下端部との各内面に横設した係止突条10，10を、第１凹部５の前壁部分3b下端部と後壁部分3aの下端部とに横設した止め溝11，11内へ嵌合させたから、鏡８は上記内向きフランジと天板９とで確実に挟持されることで確実に蓋体に固着させることが出来、よってコンパクト容器使用時に鏡が外れるようなことがなく、又蓋体の枢着板４上方の第１凹部下端面が形成する上向き段部12にコイン差込み凹部13を付形したから、コンパクト容器廃棄時には上記凹部13内へコインを差込み捻ることで第１凹部５内へ嵌合させた天板９の後部を押上げ、上記後方側の止め溝11内から後方側の係止突条10を外すことで天板９を外すことが出来、従って鏡８を蓋体から分離することが出来る。更にコイン差込み凹部13は蓋体後面に形成するから、該凹部は容器外見を損わない。
【００１６】
請求項２のように容器本体と蓋体との枢着を、それ等の一部に設けたテーパ状通路33付きの軸穴32と軸31とで形成することで、金属製軸を使用することなくそれ等容器本体と蓋体とを枢着させたままで廃棄でき、軸穴をテーパ状通路33付きとし、該通路外端間隔は軸31の直径よりも大とし、かつ内端間隔は軸直径よりも小としたから、強制押込みで軸穴内へ軸31を嵌合させることが容易であり、その抜出しを防止できる。
【図面の簡単な説明】
【図１】  本発明コンパクト容器の分解斜視図である。
【図２】  蓋体要部の分解斜視図である。
【図３】  コンパクト容器から天板を外す方法を示す説明図である。
【図４】  蓋体後部の斜視図である。
【図５】  容器本体と蓋体との枢着部の構造を示す斜視図である。
【図６】  コンパクト容器の断面図である。
【図７】  容器本体と蓋体との枢着部の構造を別実施形態で示す斜視図である。
【符号の説明】
１…蓋体                  ５…第１凹部
６…第２凹部              ７…窓孔
８…鏡                    ９…天板
10…係止突条              11…止め溝
13…コイン差込み凹部      21…容器本体
23…嵌合凹部              31…軸
32…軸穴                  33…テーパ状通路
【図１】
0003839175.tif 000002
【図２】
0003839175.tif 000003
【図３】
0003839175.tif 000004
【図４】
0003839175.tif 000005
【図５】
0003839175.tif 000006
【図６】
0003839175.tif 000007
【図７】
0003839175.tif 000008